(57)【要約】【課題】光合分波器において、簡単な構成により、従来に比べて小型化及び低コスト化を可能とするとともに、多チャネルに対応可能とする。【解決手段】光合分波器１は、光ファイバ２が導出された器体３と、各光ファイバ２と光結合するように器体３内に収納した合分波用の光学ブロック４を備える。光学ブロック４は、コリメートレンズＣ０〜Ｃ２を複数並設してブロック化し、一面側に各光ファイバ２と光結合するように配置したレンズブロック４１と、他面側においてレンズブロック４１と離間して配置され光ファイバ２から入射された光の進行方向を他の光ファイバへ向かうように光路を変える平面ミラー４３と、レンズブロック４１と平面ミラー４３との間に配置された平面状の光入射面を有して光入射面に入射する光を光の波長に応じて透過又は反射する光合分波用のフィルタチップ４４とを備える。【選択図】図１
2006011097.tif 000002
【特許請求の範囲】
【請求項１】
少なくとも３本の光ファイバが導出された器体と、前記各光ファイバと光結合するように器体内に収納された光合分波用の光学ブロックとを具備した光合分波器において、
前記光学ブロックは、
コリメートレンズを複数並設してブロック化され光が入射又は出射する２面のうち一面側に前記各光ファイバと光結合するように配置されたレンズブロックと、
前記レンズブロックの他面側において当該レンズブロックと離間して配置され光ファイバからコリメートレンズを通して入射された光の進行方向を他の光ファイバへ向かうように光路を変える平面ミラーと、
前記レンズブロックと平面ミラーとの間に配置された平面状の光入射面を有して当該光入射面に入射する光を光の波長に応じて透過又は反射する光合分波用のフィルタと、を備え、
前記フィルタは、前記光入射面を前記平面ミラーに平行配置かつ対向配置して用いられる、単一のフィルタチップ又は互いに光フィルタ特性の異なる複数のフィルタチップから成り、
前記各光ファイバは、前記器体の略一方向へ導出されて成ることを特徴とする光合分波器。
【請求項２】
前記レンズブロックは、前記平面ミラーに対向する側に複数の凸レンズを同一平面から突出させて一直線に並列配置した一体成型レンズから成ることを特徴とする請求項１に記載の光合分波器。
【請求項３】
前記レンズブロックは、各光ファイバとコリメートレンズとの光結合面を光軸に直交する面から傾斜した同一平面内に備えて一体成型され、フェルールに保持された光ファイバが前記光結合面に直接接続されていることを特徴とする請求項１に記載の光合分波器。
【請求項４】
硝子プレートから成り、前記レンズブロック、平面ミラー、及びフィルタを位置決め固定して前記器体内に収納するための光学基台を備えていることを特徴とする請求項１に記載の光合分波器。
【請求項５】
前記平面ミラーは、それぞれ光入射面及び光反射面となる互いに平行な外表面を有する光透過体の光反射面に形成され、前記フィルタは、前記平面ミラーの光入射面に配置されていることを特徴とする請求項１に記載の光合分波器。
【請求項６】
前記平面ミラーは、単体の平面部品から成ることを特徴とする請求項１に記載の光合分波器。
【請求項７】
前記平面ミラーは、互いに平行な２つの外表面を有する光透過体の一面を前記フィルタに対向する光入射面とし、他面に金属膜又は誘電体多層膜を蒸着して反射面を形成して成ることを特徴とする請求項１に記載の光合分波器。
【発明の詳細な説明】
【技術分野】
【０００１】
本発明は、光合分波器に関し、特にアクセス系の光通信システムに用いられる光合分波器に関する。
【背景技術】
【０００２】
近年、光通信などの分野において、伝送容量を増大させるために波長分割多重方式を採用した光通信システムの普及が進んでいる。波長分割多重方式の光通信システムでは、光合分波器、波長フィルタなどが必要である。光合分波器として、光ファイバ、光ファイバに光結合するコリメートレンズ、及び光フィルタを具備した複数の光合分波用ユニットを器体に保持したものが提案されている（例えば、特許文献１参照）。また、低損失化、選択波長数増加時のサイズ及び製造・実装コストの削減等を可能とする波長可変合分波器が提案されている（例えば、特許文献２参照）。
【特許文献１】特開平１０−７８５２８号公報
【特許文献２】特開平２００４−１１７４５０号公報
【発明の開示】
【発明が解決しようとする課題】
【０００３】
しかしながら、特許文献１に開示されるような光合分波器においては、器体の対向する非平行な２つの側壁それぞれに光合分波ユニットが取り付けられているので、両側壁それぞれに直交する方向へ光合分波ユニットが突出しており、小型化が難しいという問題がある。また、この光合分波器では、光合分波用ユニット毎にコリメートレンズ、レンズ用ホルダ、光フィルタ、光フィルタ用ホルダ、フェルールを備えているので、部品点数が多くなるとともにコストが高くなるという問題がある。また、特許文献２に開示されるような光合分波器においては、個々の光ファイバに対し凸面レンズをそれぞれ個別にコリメートレンズとして備えており、部品点数が多くなるとともに部品管理や製造の煩雑化などによるコスト高という問題がある。
【０００４】
本発明は、上記課題を解消するものであって、簡単な構成により、従来に比べて小型化及び低コスト化が可能で、しかも多チャネルに対応可能な光合分波器を提供することを目的とする。
【課題を解決するための手段】
【０００５】
上記課題を達成するために、請求項１の発明は、少なくとも３本の光ファイバが導出された器体と、前記各光ファイバと光結合するように器体内に収納された光合分波用の光学ブロックとを具備した光合分波器において、前記光学ブロックは、コリメートレンズを複数並設してブロック化され光が入射又は出射する２面のうち一面側に前記各光ファイバと光結合するように配置されたレンズブロックと、前記レンズブロックの他面側において当該レンズブロックと離間して配置され光ファイバからコリメートレンズを通して入射された光の進行方向を他の光ファイバへ向かうように光路を変える平面ミラーと、前記レンズブロックと平面ミラーとの間に配置された平面状の光入射面を有して当該光入射面に入射する光を光の波長に応じて透過又は反射する光合分波用のフィルタと、を備え、前記フィルタは、前記光入射面を前記平面ミラーに平行配置かつ対向配置して用いられる、単一のフィルタチップ又は互いに光フィルタ特性の異なる複数のフィルタチップから成り、前記各光ファイバは、前記器体の略一方向へ導出されて成るものである。
【０００６】
請求項２の発明は、請求項１に記載の光合分波器において、前記レンズブロックは、前記平面ミラーに対向する側に複数の凸レンズを同一平面から突出させて一直線に並列配置した一体成型レンズから成るものである。
【０００７】
請求項３の発明は、請求項１に記載の光合分波器において、前記レンズブロックは、各光ファイバとコリメートレンズとの光結合面を光軸に直交する面から傾斜した同一平面内に備えて一体成型され、フェルールに保持された光ファイバが前記光結合面に直接接続されているものである。
【０００８】
請求項４の発明は、請求項１に記載の光合分波器において、硝子プレートから成り、前記レンズブロック、平面ミラー、及びフィルタを位置決め固定して前記器体内に収納するための光学基台を備えているものである。
【０００９】
請求項５の発明は、請求項１に記載の光合分波器において、前記平面ミラーは、それぞれ光入射面及び光反射面となる互いに平行な外表面を有する光透過体の光反射面に形成され、前記フィルタは、前記平面ミラーの光入射面に配置されているものである。
【００１０】
請求項６の発明は、請求項１に記載の光合分波器において、前記平面ミラーは、単体の平面部品から成るものである。
【００１１】
請求項７の発明は、請求項１に記載の光合分波器において、前記平面ミラーは、互いに平行な２つの外表面を有する光透過体の一面を前記フィルタに対向する光入射面とし、他面に金属膜又は誘電体多層膜を蒸着して反射面を形成して成るものである。
【発明の効果】
【００１２】
請求項１の発明によれば、各光ファイバが器体の略一方向に導出されるので、従来に比べ、小型化が可能となる。また、光ファイバ毎に、光フィルタとそのフォルダを設ける必要がないので、少ない部品で光合分波器を構成でき、低コスト化が可能である。さらに、構造が単純な平面ミラー、コリメートレンズのブロック、及びチップ状のフィルタを用いているので、光路の反復増設により多チャネル対応が容易である。
【００１３】
請求項２の発明によれば、各光ファイバに接続される複数のコリメートレンズが、同一平面から凸レンズを突出させた単純な構造を有して同一材料から一体成型して構成されているので、製造が容易であるとともに、コリメートレンズ間の相対的な位置精度を高めることができ、従って光学ブロックの性能を高めることができる。また、複数のコリメートレンズで構成した場合に比べ、部品点数を削減でき、部品管理や組立作業が容易になる。
【００１４】
請求項３の発明によれば、光軸が光結合面に正対していないので、光結合面における反射戻り光によるリターンロスの低減ができ、信号のＳ／Ｎ比を高めることができる。また、レンズブロックにフェルールに保持された光ファイバを直接接続しているので接続部品等が不要である。
【００１５】
請求項４の発明によれば、光学基台が硝子プレートで構成されているので、レンズブロックとミラーを位置決め固定する接着剤として、ＵＶ光（紫外線）硬化型接着剤を用いる場合、いずれの方向からでもＵＶ光を照射して、接着剤を硬化させることができる。また、形状が単純であるので、光学基台の材料の入手、及び製造が容易である。
【００１６】
請求項５の発明によれば、光合分波用のフィルタを構成する単一、又は複数のフィルタチップを、平面ミラーを形成する光透過体の光入射面に配置するので、別途のフィルタホルダを設ける必要がなく、また、平面ミラーとの平行度が自動的に確保でき、高精度かつ容易に光合分波用の光学ブロックを形成できる。
【００１７】
請求項６の発明によれば、平面ミラーの形状が単純であるので、材料の入手や製造が容易である。
【００１８】
請求項７の発明によれば、反射率の優れた安定した平面ミラーを容易に形成できる。
【発明を実施するための最良の形態】
【００１９】
以下、本発明の一実施形態に係る光合分波器について、図面を参照して説明する。図１（ａ）（ｂ）は、光合分波器１の断面を示し、図２は光合分波器１の合分波動作を示す。光合分波器１は、図１（ａ）に示すように、３本の光ファイバ２０，２１，２２が導出された偏平な器体３と、各光ファイバ２０，２１，２２と光結合するように器体３内に収納された光合分波用の光学ブロック４とを備えている。
【００２０】
光学ブロック４は、光合分波用の基本構成要素として、コリメートレンズＣ０，Ｃ１，Ｃ２を複数並設してブロック化され光が入射又は出射する２面のうち一面側に各光ファイバ２０，２１，２２と光結合するように配置されたレンズブロック４１と、レンズブロック４１の他面側においてレンズブロック４１と離間して配置され光ファイバ２０，２１，２２からコリメートレンズＣ０，Ｃ１，Ｃ２を通して入射された光の進行方向を他の光ファイバへ向かうように光路を変える平面ミラー４３と、レンズブロック４１と平面ミラー４３との間に配置された平面状の光入射面を有して光入射面に入射する光を光の波長に応じて透過又は反射する光合分波用のフィルタチップ４４と、を備えている。
【００２１】
光学ブロック４は、上述の光合分波用基本構成要素の他に、レンズブロック４１、平面ミラー４３、及びフィルタチップ４４を位置決め固定して器体３内に収納するための光学基台４０を備えている。光学基台４０は、硝子プレートで構成されている。また、器体３は、器体ボディ３１と器体カバー３２からなる。このような構成により、光合分波器１における各光ファイバ２０，２１，２２は、器体３の略一方向（図の右方向）のみに導出される。以下に、光合分波用の各基本構成要素及び光ファイバ等について説明する。
【００２２】
レンズブロック４１は、焦点距離が同じ３つのコリメートレンズＣ０，Ｃ１，Ｃ２を一体に成型した一体成型レンズから成る。各コリメートレンズＣ０，Ｃ１，Ｃ２の光軸は同一平面内に配置して構成されている（図１（ｂ））。各コリメートレンズＣ０，Ｃ１，Ｃ２は、レンズブロック４１の平面ミラー４３に対向する側に複数の凸レンズを同一平面から突出させて一直線に並列配置し、他方の側に各コリメートレンズＣ０，Ｃ１，Ｃ２と光ファイバ２との結合面（光結合面）を配置して一体化されている。
【００２３】
各光結合面は同一面内にあり、また、各コリメートレンズＣ０，Ｃ１，Ｃ２のそれぞれの焦点は各光結合面の位置とされている。さらに、各光結合面は、各レンズ及び光ファイバ２（２０，２１，２２）の光軸Ｌ０，Ｌ１，Ｌ２に直交する面から角度θだけ傾斜する面となっている。このように、複数のコリメートレンズＣ０，Ｃ１，Ｃ２が一直線上に一体成形されているので、低コストでかつ、省スペース、さらに位置決めが容易なレンズ構成と成っている。
【００２４】
光ファイバ２は、上述の角度θに対応した端面角度θとなるように端面が研磨されている。すなわち、光ファイバ２は、それぞれ被覆剥離処理した先端を突出するまでフェルールＦに挿入して接着された後、フェルールＦと光ファイバ２の先端が同時に研磨され、所定の端面角度θが与えられる。この角度θは、光ファイバ２の光軸Ｌ０，Ｌ１，Ｌ２に直交する面に対して５゜以上４５゜以下の角度であり、より好ましくは５゜以上１０゜以下であり、例えば８゜とされる。３本の光ファイバ２０，２１，２２とも同じ端面形状とされ、光ファイバ２と光ファイバ２を保持したフェルールＦが平面視で略長方形をしたレンズブロック４１の同一辺側の面（光結合面）に接着固定して光結合される。
【００２５】
接着固定に際し、レンズブロック４１に組み込まれているコリメートレンズＣ０，Ｃ１，Ｃ２の光軸と光ファイバ２０，２１，２２の光軸が、それぞれ共通の光軸Ｌ０，Ｌ１，Ｌ２を有するように調芯される。ここで、光軸Ｌ１と光軸Ｌ２は平行であり、光軸Ｌ０と光軸Ｌ１とのなす角度は、フィルタチップ４４の光学特性及び光路の屈折率などの条件に基づいて所定の角度とされている。なお、前述のように各コリメートレンズＣ０，Ｃ１，Ｃ２の光軸Ｌ０，Ｌ１，Ｌ２が同一平面内に配置されているので、光合分波器１が扁平で薄型となっている。
【００２６】
平面ミラー４３は、それぞれ光入射面及び光反射面となる互いに平行な外表面を有する光透過体４２の光反射面に、金属膜又は誘電体多層膜を蒸着して形成されている。
【００２７】
フィルタチップ４４は、例えば、矩形板状のガラス基板からなる透明基板に、特定波長の光を反射し、他の波長の光を透過するフィルタ特性を有するように設計した光学膜を積層して形成されている。また、フィルタチップ４４は、一般に、入射する光を光の波長領域に応じて透過又は反射するようにに構成でき、従って、特定波長の光を透過し、他の波長の光を反射するフィルタ特性とすることもできる。このようなフィルタチップ４４は、上述の光透過体４２の光入射面に固着されている。従って、フィルタチップ４４は、その平面状の光入射面（フィルタチップ４４の両面とも光入射面と成り得る）が平面ミラー４３に平行かつ対向するように配置されている。
【００２８】
続いて、光合分波器１の動作を説明する。上述の光合分波器１の構成において、フィルタチップ４４と反射ミラー４３とは平行であり、さらに、レンズブロック４１の光入出射面（光結合面）もこれらと平行である。ところで、光合分波器１は光合波器としての機能と光分波器としての機能を有している。そこで、まず、光分波器としての動作を説明する。
【００２９】
図２に模式的に示すように、光ファイバ２０から光軸Ｌ０に沿って光合分波器１に入射してコリメートレンズＣ０を通過する光を、３種類の波長（λ１，λ２，λ３）の光が重畳された重畳光とし、その波長の組合せを、例えば、（λ１，λ２，λ３）＝（１５５５ｎｍ，１４９０ｎｍ，１３１０ｎｍ）とする。フィルタチップ４４のフィルタ特性として特定の波長λ＝１５５５ｎｍの光を所定方向（今の場合、コリメートレンズＣ１の方向）に反射し、他の波長の光は透過するように設計すると、波長λ１の光はフィルタチップ４４により反射される。また、波長（λ２，λ３）の光は、フィルタチップ４４を透過し、入射方向と略同一方向に光透過体４２内を進む。
【００３０】
波長λ２，λ３の透過光は、光透過体４２内において平面ミラー４３によって反射の法則に従って進行方向を変えられてコリメートレンズＣ２に入射して集光され、光ファイバ２２を介して光合分波器１の外部に接続された次段の光学機器へと送られる。また、波長λ１の反射光は、フィルタチップ４４の設計値に従い、光軸Ｌ０から所定の角度の方向に光軸Ｌ１を有するコリメートレンズＣ１に入射して集光され、光ファイバ２１を介して次段の光学機器へと送られる。つまり、光合分波器１の光分波器としての機能により、波長（λ１，λ２，λ３）の重畳光が、波長（λ２，λ３）の重畳光と、波長λ１の単一波長光に分波されたことになる。
【００３１】
光合分波器１の光合波器としての動作は、上述の各波長の光の進行方向を逆転した状態で行われる。つまり、光ファイバ２２から波長（λ２，λ３）の光を入射し、光ファイバ２１から波長λ１＝１５５５ｎｍの光を入射させると、波長（λ２，λ３）の光はフィルタチップ４４を透過し、波長λ１＝１５５５ｎｍの光はフィルタチップ４４により反射して、それぞれコリメートレンズＣ１を経て集光され、波長（λ１，λ２，λ３）の混合波が光ファイバ２０から取り出される。
【００３２】
次に、図３、図４を参照して光合分波器１の組立について説明する。図３に示すように、まず、フェルールＦと一体とされて端面処理された光ファイバ２が、レンズブロック４１に接着固定される。このレンズブロック４１、及び平面ミラー４３の形成とフィルタチップ４４の固着がなされた光透過体４２が、硝子プレートで構成された光学基台４０の上に位置決め固定されて光ファイバの接続された光学ブロック４が完成する。レンズブロック４１と光透過体４２を光学基台４０に位置決め固定する接着剤として、通常、ＵＶ光（紫外線）硬化型接着剤が用いられる。この場合、光学基台４０が硝子プレートで構成されているので、光学基台４０のいずれの方向からでもＵＶ光を照射して接着剤を硬化させることができる。これらの作業用の専用治具を設けることで、位置決めと固定が精度良く容易に行われる。
【００３３】
光学基台４０は、平板状の単純な形状であるので、光学基台の材料の入手、及び光学基台の製造が容易であり、別途に位置決め用の治具を設けても、従来例よりもコスト、製造面、及び取扱面などにおいて優れたものとなっている。光学基台４０として、上述の硝子プレートの他、金属板、セラミックス板、プラスチック板などを用いることができる。これらの光学基台の場合、ＵＶ光硬化型接着剤に限らず、それぞれに適した接着剤を用いることができる。続いて、上述の光ファイバの接続された光学ブロック４が器体３に納められる。
【００３４】
器体３の本体部分である器体ボディ３１は、成形部材からなり、略矩形の上方に開口した箱形状をしている。その一方の側壁には、光ファイバ導出溝３ａが設けられ、また、光ファイバ導出溝３ａに位置決めされた光ファイバ２を固定封止する接着封止用樹脂を溜めるための接着剤溜３ｂが設けられている。このため、光ファイバ２が導出される側壁は、他の側壁と比べて厚めの側壁になっている。
【００３５】
また、光ファイバ導出溝３ａが設けられた側壁の反対側の側壁に近接して、光学基台４０の４隅を位置決めする位置決め部３ｃが設けられている。また、光学基台４０が配置される部位の略中心部に凹部３ｄが設けられている。この凹部３ｄに接着剤を滴下して前述の光学ブロック４が載置され、光学ブロック４が接着剤により固着される。
【００３６】
続いて、図４に示すように、光学ブロック４が、レンズブロック４１に光ファイバ２を固着した状態で器体ボディ３１内に接着固定して納められ、その後、器体カバー３２を上方から被せるとともに、器体３の内部を接着剤により封止して、光合分波器１の組立が完了する。
【００３７】
次に、本発明の一実施形態に係る他の光合分波器１について、図５〜図８を参照して説明する。図５（ａ）（ｂ）に示す光合分波器１は、前出の図１〜図４に示した光合分波器１のチャネル数を増加したものである。すなわち、前出の光合分波器１のチャネル数は２であり、図５に示す光合分波器１のチャネル数は４である。
【００３８】
チャネル数の増加に当たり、レンズブロック４１に一体成型されたコリメートレンズの数、フィルタを構成するフィルタチップの数、及び光ファイバの数がそれぞれ増加され、さらに、レンズブロック４１、光透過体４２、及び平面ミラー４３の幅、さらに器体３の幅がそれぞれ拡大されている。このような増加チャネル数に対応して、コリメートレンズＣ３，Ｃ４、光ファイバ２２，２３、フィルタチップ４５，４６が増加している。
【００３９】
上述のチャネル数の増加は、図５、図６に示された構造から明らかなように、光合分波器１における各合分波用の構成要素を並列的に増加することにより容易に実現することができる。なお、フィルタは、互いに光フィルタ特性の異なる複数のフィルタチップを組み合わせて用いることにより所望の光合分波処理を行うことができる。
【００４０】
上述のチャネル数が増加した光合分波器１の分波器としての動作を説明する。図６に示すように、光ファイバ２０の光軸Ｌ０に沿って、互いに異なる波長（λ１，λ２，λ３，λ４）を有する混合光が光合分波器１に入射したものとする。また、フィルタチップ４４，４５，４６は、それぞれ特定の波長の光を反射又は透過するものとする。例えば、フィルタチップ４４は波長λ１の光を反射し、フィルタチップ４５は波長λ２の光を透過し、フィルタチップ４６は波長λ３の光を透過する。
【００４１】
すると、フィルタチップ４４において、波長（λ１，λ２，λ３，λ４）の混合光から波長λ１の光が反射されて光ファイバ２１から出力される。他の波長（λ２，λ３，λ４）の光は、フィルタチップ４４を透過し、平面ミラー４３により反射されてフィルタチップ４５の裏面側（光透過体４２との接合面側）からフィルタチップ４５に入射する。すると、フィルタチップ４５において、波長（λ２，λ３，λ４）の混合光のうち波長λ２の光が透過して光ファイバ２１から出力され、他の波長（λ３，λ４）の光は反射される。
【００４２】
波長（λ３，λ４）の光は、平面ミラー４３により反射されてフィルタチップ４６の裏面側からフィルタチップ４５に入射する。すると、フィルタチップ４６において、波長λ３の光が透過して光ファイバ２３から出力され、波長λ４の光は反射される。波長λ４の光は、平面ミラー４３により反射された後、光透過体４２から抜け出て光ファイバ２４から出力される。
【００４３】
このような光合分波器１の光合波器としての動作や他の構造、及び図７，図８に示すチャネル数が増加した光合分波器１の組立は、前述の光合分波器１と同様であり、説明を省略する。
【００４４】
次に、図９を参照して本発明の実施形態に係るさらに他の光合分波器を説明する。図９（ａ）に示す光合分波器１の構造は、前出の図２に示した光合分波器１において、光軸Ｌ０の位置を光軸Ｌ１の位置から遠ざかる方向にずらして、光軸Ｌ０がフィルタチップ４４を通らないようにした点が異なっている。このような構造上の違いを有する光合分波器１に前述の光合分波器１と同じ動作、例えば光分波器としての動作をさせるには、フィルタチップ４４のフィルタ特性を、特定の波長λ１の光を透過し、他の波長の光を反射するものとすればよい（前述の場合、波長λ１の光を反射し、他の波長の光を透過する）。
【００４５】
同様に、図９（ｂ）に示すような複数のフィルタチップ４４，４５，４６を用いる光合分波器１において、各フィルタチップ４４，４５，４６がそれぞれ特定の波長λ１，λ２，λ３の光を透過するものとすると、前述の図６に示した光合分波器１と同様の動作を実現できる。すなわち、前述の光合分波器１と異なり、全てのフィルタチップにおいて、「特定の光を透過」するという同じ性質のフィルタチップを用いることができる（前述の場合、フィルタチップ４４は波長λ１の光を反射し、他の波長の光を透過する）。
【００４６】
次に、図１０を参照して本発明の実施形態に係るさらに他の光合分波器を説明する。前述のいずれの光合分波器１においても、光学ブロック４の構成に光透過体４２を用いていた。図１０に示す光ファイバ付きの光学ブロック４は、単体の平面部品から構成した平面ミラー４３と、複数のフィルタチップ４４，４５，４６を直接光学基台４０に搭載したものである。これにより、光学ブロック４の軽量化が図られる。また、フィルタチップのみを容易に交換可能である。なお、本発明は、以上に説明した構成に限られることなく種々の変形が可能である。また、図中に破線を用いて示した光軸や光の経路は、それぞれ光学の諸法則に従う光線を模式的に示したものである。
【図面の簡単な説明】
【００４７】
【図１】（ａ）は本発明の実施形態に係る光合分波器の一部断面平面図、（ｂ）は（ａ）のＡ−Ａ断面図。
【図２】同上光合分波器の分波動作を説明する模式図。
【図３】同上光合分波器の組立途中を説明する分解斜視図。
【図４】同上光合分波器の組立を説明する分解斜視図。
【図５】（ａ）は本発明の実施形態に係る他の光合分波器の一部断面平面図、（ｂ）は（ａ）のＡ−Ａ断面図。
【図６】同上光合分波器の分波動作を説明する模式図。
【図７】同上光合分波器の組立途中を説明する分解斜視図。
【図８】同上光合分波器の組立を説明する分解斜視図。
【図９】（ａ）は本発明の実施形態に係るさらに他の光合分波器の模式図、（ｂ）は本発明の実施形態に係るさらに他の光合分波器の模式図。
【図１０】本発明の実施形態に係るさらに他の光合分波器の光学ブロックの斜視図。
【符号の説明】
【００４８】
１    光合分波器
２，２０〜２４    光ファイバ
３，３１，３２    器体
４    光学ブロック
４０    光学基台
４１    レンズブロック
４２    光透過体
４３    平面ミラー
４４，４５，４６    フィルタチップ（フィルタ）
Ｃ０〜Ｃ４    コリメートレンズ
Ｆ    フェルール
Ｌ０〜Ｌ４    光軸
【図１】
2006011097.tif 000003
【図２】
2006011097.tif 000004
【図３】
2006011097.tif 000005
【図４】
2006011097.tif 000006
【図５】
2006011097.tif 000007
【図６】
2006011097.tif 000008
【図７】
2006011097.tif 000009
【図８】
2006011097.tif 000010
【図９】
2006011097.tif 000011
【図１０】
2006011097.tif 000012